(57)【要約】【課題】  下地パネルおよび外壁面材の幅が狭く、下地パネルと外壁面材間にほとんど隙間がない場合でも、外壁面材を表面側からのビス留めによらずに下地パネルに固定することができ、施工が容易な外壁面材の固定構造を提供する。【解決手段】  下地パネル１の外壁面材固定面に、位置決め用の係合部１６ａを有する板状の位置決め金具１６を外壁面材固定面と平行に配置して設ける。外壁面材２の被下地パネル固定面に、係合部１６ａが係合する被係合部１７ａを有する被位置決め金具１７と、ビス孔１８ｂを有する固定用金具１８とを設ける。係合部１６ａを被係合部１７ａに係合させることで下地パネル１に対し外壁面材２を位置決めし、かつビス孔１８ｂに挿通したビス２４により外壁面材２を下地パネル１に固定する。【選択図】        図１
2009257002.tif 000002
【特許請求の範囲】
【請求項１】
下地パネルの外壁面材固定面に、位置決め用の係合部を有する板状の位置決め金具を前記外壁面材固定面と平行に配置して設けると共に、外壁面材の被下地パネル固定面に、前記係合部が係合する被係合部を有する被位置決め金具と、ビス孔を有する固定用金具とを設け、前記係合部を前記被係合部に係合させることで下地パネルに対し外壁面材を位置決めし、かつ前記ビス孔に挿通したビスにより外壁面材を下地パネルに固定することを特徴とする外壁面材の固定構造。
【請求項２】
請求項１において、前記固定用金具のビス孔を、前記被下地パネル固定面から外れた箇所に位置させた外壁面材の固定構造。
【請求項３】
請求項１または請求項２において、前記係合部および被係合部は、係合部に対し被係合部を上下にスライドして係合させることで、下地パネルに対し外壁面材を位置決めする構成である外壁面材の固定構造。
【請求項４】
請求項１または請求項２において、前記係合部および被係合部は、係合部に対し被係合部を左右にスライドして係合させることで、下地パネルに対し外壁面材を位置決めする構成である外壁面材の固定構造。
【発明の詳細な説明】
【技術分野】
【０００１】
この発明は、窓用等の開口を有する下地パネルに外壁面材を固定するのに適した外壁面材の固定構造に関する。
【背景技術】
【０００２】
図１０に示すような窓付きの外壁では、サッシ４を嵌め込む開口３を有する下地パネル１に外壁面材２（２Ａ，２Ｂ，２Ｃ）が固定される。下地パネル１および外壁面材２のサッシ４と直交する方向の幅が狭く、しかも下地パネル１に外張り断熱材５０（図１１）が設けられている場合には下地パネル１と外壁面材２間にほとんど隙間がないため、両者間に外壁面材固定用の仕掛けを設けることが難しい。そのため、従来は、外壁面材２を表面側から下地パネル１に固定していた。具体的には、図１１に示すように、外壁面材２の表面から下地パネル１に向けてビス孔５１を開け、このビス孔５１から挿通したビス５２により外壁面材２を下地パネル１のパネルフレーム４５または下地桟４６に固定し、ビス孔５１をパテ埋めした後、タッチアップ塗装を施すという方法が採られていた。
【特許文献１】特公昭６３−５６３８０号公報
【特許文献２】特開昭６１−１４３４４号公報
【特許文献３】特開昭６１−１０６８４８号公報
【発明の開示】
【発明が解決しようとする課題】
【０００３】
しかし、上記のように外壁面材２を表面側から下地パネル１にビス留めするのは、施工箇所ごとに外壁面材２の位置決め、固定、目地合わせを行なう必要があり、現場での施工時間が長くかかる。また、パテ埋め等の補修跡が残り見栄えを悪くすることがある。さらに、固定、補修等の精度は、現場作業者の熟練度により左右される。
【０００４】
そこで、この発明の目的は、下地パネルおよび外壁面材の幅が狭く、下地パネルと外壁面材間にほとんど隙間がない場合でも、外壁面材を表面側からのビス留めによらずに下地パネルに固定することができ、施工が容易な外壁面材の固定構造を提供することである。
【課題を解決するための手段】
【０００５】
この発明の外壁面材の固定構造は、下地パネルの外壁面材固定面に、位置決め用の係合部を有する板状の位置決め金具を前記外壁面材固定面と平行に配置して設けると共に、外壁面材の被下地パネル固定面に、前記係合部が係合する被係合部を有する被位置決め金具と、ビス孔を有する固定用金具とを設け、前記係合部を前記被係合部に係合させることで下地パネルに対し外壁面材を位置決めし、かつ前記ビス孔に挿通したビスにより外壁面材を下地パネルに固定することを特徴とする。
【０００６】
位置決め金具は、板状で、外壁面材固定面と平行に配置されるため、下地パネルと外壁面材間にほとんど隙間がない場合でも、下地パネルの外壁面材固定面に無理なく設けることができる。被位置決め金具は、位置決め金具の係合部が係合する被係合部さえ有していればよく、下地パネルと外壁面材の並び方向の寸法をさほど必要としないため、外壁面材の被下地パネル固定面に無理なく設けることができる。また、固定用金具は、ビス孔以外は形状を限定しないので、例えば板材で成形することにより、外壁面材の被下地パネル固定面に無理なく設けることができる。これらのことから、この外壁面材の固定構造は、下地パネルおよび外壁面材の幅が狭く、下地パネルと外壁面材間にほとんど隙間がない外壁に有効に適用できる。
【０００７】
この固定構造によれば、下地パネルの外壁面材固定面に設けた位置決め金具の係合部を、外壁面材の被下地パネル固定面に設けた被位置決め金具の被係合部に係合させることで、下地パネルに対し外壁面材を位置決めし、かつ外壁面材の被下地パネル固定面に設けた固定用金具のビス孔にビスを挿通して、外壁面材を下地パネルに固定するため、外壁面材の表面にビス孔等の跡が残らず、仕上がりが美しい。この固定作業は容易で、その精度が現場作業者の熟練度により左右されない。
【０００８】
この発明において、前記固定用金具のビス孔を、前記被下地パネル固定面から外れた箇所に位置させることができる。
ビス孔が被下地パネル固定面から外れた箇所に位置していると、このビス孔に挿通したビスによる下地パネルへの外壁面材の固定作業が容易である。
【０００９】
前記係合部および被係合部は、係合部に対し被係合部を上下にスライドして係合させることで、下地パネルに対し外壁面材を位置決めする構成とすることができる。
係合部に対し被係合部を下方にスライドして係合させることで、下地パネルに対し外壁面材を位置決めする場合は、例えば窓等の開口を有する外壁において、開口の上側箇所の外壁面材を、サッシと干渉させずに下地パネルに固定することができる。係合部に対し被係合部を上方にスライドして係合させることで、下地パネルに対し外壁面材を位置決めする場合は、例えば窓等の開口を有する外壁において、開口の下側箇所の外壁面材を、サッシと干渉させずに下地パネルに固定することができる。
【００１０】
また、前記係合部および被係合部は、係合部に対し被係合部に左右にスライドして係合させることで、下地パネルに対し外壁面材を位置決めする構成とすることができる。
係合部に対し被係合部を左右にスライドして係合させることで、下地パネルに対し外壁面材を位置決めする場合は、例えば窓等の開口を有する外壁において、開口の左右箇所の外壁面材を、サッシと干渉させずに下地パネルに固定することができる。
【発明の効果】
【００１１】
この発明の外壁面材の固定構造は、下地パネルの外壁面材固定面に、位置決め用の係合部を有する板状の位置決め金具を前記外壁面材固定面と平行に配置して設けると共に、外壁面材の被下地パネル固定面に、前記係合部が係合する被係合部を有する被位置決め金具と、ビス孔を有する固定用金具とを設け、前記係合部を前記被係合部に係合させることで下地パネルに対し外壁面材を位置決めし、かつ前記ビス孔に挿通したビスにより外壁面材を下地パネルに固定するため、下地パネルおよび外壁面材の幅が狭く、下地パネルと外壁面材間にほとんど隙間がない場合でも、外壁面材を表面側からのビス留めによらずに下地パネルに固定することができ、施工が容易である。
【発明を実施するための最良の形態】
【００１２】
この発明の第１の実施形態を図１ないし図４と共に説明する。この実施形態は、図１０のような窓を有する外壁における窓の上側箇所の外壁面材２Ａの固定構造である。図１は下地パネル１の外面に外壁面材２を固定した状態、図２は外壁面材２を固定する前の状態をそれぞれ示す。外壁には窓用の開口３が設けられており、その開口３にサッシ４が嵌め込んで固定されている。
【００１３】
下地パネル１は、軽量鉄骨材からなる断面溝形のフレーム材５ａ，５ｂ等を組み合わせて構成したパネルフレーム５を有する。このパネルフレーム５の開口３側の面、外面の開口３側箇所、および内面に、下地桟６，７，８，９がそれぞれ取付けられている。これらの下地桟６，７，８，９は、例えば木製である。外面の下地桟７の上側には外張り断熱材１０が取付けられ、その外側の複数箇所に胴縁１１が取付けられている。図示は省略してあるが、パネルフレーム５内にも断熱材が設けられている。さらに、外張り断熱材１０から胴縁１１にかけての外面に、水切り鋼板１２が取付けられている。前記サッシ４は、開口３側から木ねじ１３により下地桟６に固定されると共に、外面側からビス１４により下地桟６に固定される。なお、サッシ４と下地桟６の間には、樹脂製の下地桟１５を介在させてある。
【００１４】
外壁面材２は、ＧＲＣ（ガラス繊維強化セメント）等からなる。外壁面材２の固定用として、下地パネル１の外面からなる外壁面材固定面Ｆ１（図２）に位置決め金具１６が設けられていると共に、外壁面材２の内面からなる被下地パネル固定面Ｆ２（図２）に被位置決め金具１７および固定用金具１８が設けられている。
【００１５】
図１（Ｂ）および図３に示すように、位置決め金具１６は、上向きに突出する位置決め用の係合部１６ａを有する板状の金具であり、前記水切り鋼板１２の外面に外壁面材固定面Ｆ１と平行に、皿ねじ２０により左右両側の胴縁１１に取付けられている。図の位置決め金具１６は、左右一対の係合部１６ａと４箇所の皿ねじ孔１６ｂを有するが、これは左右共用化を図かるためであり、胴縁１１への取付けには左右外側の列の皿ねじ孔１６ｂのみが使用され、位置決め用としては左右内側の係合部１６ａのみが機能する。
【００１６】
図１（Ｂ）および図４に示すように、被位置決め金具１７は、外壁面材２に埋め込んだ上アンカー２１の一部を切り起して内面側に突出させたものであり、前記係合部１６ａが係合する被係合部１７ａを有する。被係合部１７ａは上下に貫通する貫通孔であり、係合部１６ａが被係合部１７ａに差し込まれることで、両者１６ａ，１７ａが互いに係合する。被係合部１７ａの左右の長さは係合部１６ａの左右幅よりも長くして、被係合部１７ａに係合部１６ａが係合した状態で若干の遊びを持たせてある。固定用金具１８は、下部がクランク状に折り曲げられた張出し部１８ａとされ、その張出し部１８ａに固定用のビス孔１８ｂを設けたものであり、前記張出し部１８ａが外壁面材２よりも下方に突出する状態で、外壁面材２に埋め込んだ下アンカー２２にビス２３で取付けられている。
【００１７】
下地パネル１への外壁面材２の固定方法を説明する。図２の状態から外壁面材２を下地パネル１の側へ移動させ、位置決め用金具１６の内側の係合部１６ａの上方に被位置決め金具１７の被係合部１７ａを位置させる。そして、外壁面材２を下方にスライドすることにより、被係合部１７ａに係合部１６ａが差し込まれて、両者１６ａ，１７ａが互いに係合する。それにより、下地パネル１に対して外壁面材２が位置決めされる。次いで、固定用金具１８のビス孔１８ｂに挿通したビス２４により、外壁面材２を下地桟１５，７に固定することで、図１の固定完了状態となる。固定用金具１８のビス孔１８ｂは被下地パネル固定面Ｆ２から下方に外れた箇所に位置しているため、ビス２４による下地パネル１への外壁面材２の固定作業が容易である。
【００１８】
図１の固定完了状態では、下地パネル１の外壁面材固定面Ｆ１に設けた位置決め金具１６の係合部１６ａを、外壁面材２の被下地パネル固定面Ｆ２に設けた被位置決め金具１７の被係合部１７ａに係合させることで、下地パネル１に対し外壁面材２を位置決めし、かつ外壁面材２の被下地パネル固定面Ｆ２に設けた固定用金具１８の、被下地パネル固定面Ｆ２から下方に外れて位置するビス孔１８ｂにビス２４を挿通して、外壁面材２を下地パネル１に固定するため、外壁面材２の表面にビス孔等の跡が残らず、仕上がりが美しい。この固定作業は容易で、その精度が現場作業者の熟練度により左右されない。
【００１９】
位置決め金具１６は、板状で、外壁面材固定面Ｆ１と平行に配置されるため、下地パネル１と外壁面材２間にほとんど隙間がない場合でも、下地パネル１の外壁面材固定面Ｆ１に無理なく設けることができる。被位置決め金具１７は、位置決め金具１６の係合部１６ａが係合する被係合部１７ａさえ有していればよく、下地パネル１と外壁面材２の並び方向の長さをさほど必要としないため、外壁面材２の被下地パネル固定面Ｆ２に無理なく設けることができる。また、固定用金具１８は、ビス孔１８ｂ以外は形状を限定しないので、この例のように板材で成形することにより、外壁面材２の被下地パネル固定面Ｆ２に無理なく設けることができる。これらのことから、この外壁面材の固定構造は、下地パネル１および外壁面材２の幅が狭く、下地パネル１と外壁面材２間にほとんど隙間がない外壁に有効に適用できる。
【００２０】
図５および図６はこの発明の第２の実施形態を示す。この実施形態は、図１０の外壁における窓の下側箇所の外壁面材２Ｂの固定構造である。図５は下地パネル１の外面に外壁面材２を固定した状態、図６は外壁面材２を固定する前の状態をそれぞれ示す。前記第１の実施形態と比べ、被位置決め金具１７が形成されているアンカー２１に固定金具１８が取付けられている点、および水切り鋼板１２が設けられていない点を除けば、上下反転させれば構造的にほぼ同じである。構造的に同じ箇所については同一符号を付して、説明を省略する。
【００２１】
この第２の実施形態の場合、図６の状態から外壁面材２を下地パネル１の側へ移動させ、さらに外壁面材２を上方にスライドすることにより、被係合部１７ａに係合部１６ａを係合させて、下地パネル１に対して外壁面材２を位置決めする。次いで、固定用金具１８のビス孔１８ｂに挿通したビス２４により、外壁面材２を下地桟１５，７に固定することで、図６の固定完了状態となる。この第２の実施形態も、第１の実施形態と同様の作用効果が得られる。
【００２２】
図７ないし図９はこの発明の第３の実施形態を示す。この実施形態は、図１０の外壁における窓の左右箇所の外壁面材２Ｃの固定構造である。図７は下地パネル１の外面に外壁面材２を固定した状態、図８は外壁面材２を固定する前の状態をそれぞれ示す。この実施形態の下地パネル１は、パネルフレーム２５とサッシ４間およびその内面に下地桟２６，２７，２８，２９がそれぞれ取付けられている。パネルフレーム２５および下地桟２６の外面に当接させて外張り断熱材３０が取付けられ、その外側の左右端に胴縁３１が取付けられている。図示は省略してあるが、パネルフレーム２５と下地桟２６間、および下地桟２６と下地桟２７間にも断熱材が設けられている。
【００２３】
外壁面材２の固定用として、下地パネル１の外面からなる外壁面材固定面Ｆ１（図８）に、位置決め金具３６が上下複数箇所に設けられている。図９に示すように、各位置決め金具３６は、皿ねじ３２により下地桟２６に上下２箇所で取付けられると共に、皿ねじ３２により胴縁３１に１箇所で取付けられており、上下一対で左右２箇所に配置された位置決め用の係合部３６ａと、この係合部３６ａのそれぞれ右側に位置するビス孔３６ｂとを有する。係合部３６ａは、位置決め金具３６の上辺部または下辺部を切り起して成形したもので、先端が左方向に延びたフック状とされている。ビス孔３６ｂは、後記ビス４０を挿通する際に寸法誤差を吸収可能なように、左右方向に長い長孔とされている。
【００２４】
外壁面材２の内面からなる被下地パネル固定面Ｆ２には、上下方向に沿う２本の補強レール３７が、外壁面材２に埋め込んだアンカー３８と一体に設けられている。この補強レール３７は、被位置決め金具および固定用金具を兼用するものであり、前記係合部３６ａが係合する断面Ｕ字状の被係合部３７ａと、この被係合部３７ａの反対側に形成されたクランク状の固定部３７ｂとを有する。固定部３７ｂには、前記ビス孔３６ｂと対応するビス孔３９が設けられている。
【００２５】
下地パネル１への外壁面材２の固定方法を説明する。図８の状態から外壁面材２を下地パネル１の側へ移動させ、位置決め用金具３６の係合部３６ａの左方に補強レール３７の被係合部３７ａを位置させる。そして、外壁面材２を左右方向（図示例では右方）にスライドすることにより、被係合部３７ａに係合部３６ａを係合させる。それにより、下地パネル１に対して外壁面材２が位置決めされる。次いで、補強レール３７のビス孔３９および位置決め用金具３６のビス孔３６ｂに挿通したビス４０により、外壁面材２を下地パネル１に固定することで、図７の固定完了状態となる。
【００２６】
図７の固定完了状態では、下地パネル１の外壁面材固定面Ｆ１に設けた位置決め金具３６の係合部３６ａを、外壁面材２の被下地パネル固定面Ｆ２に設けた補強レール３７の被係合部３７ａに係合させることで、下地パネル１に対し外壁面材２を位置決めし、かつ補強レール３７の、被下地パネル固定面２Ｆから外れて位置するビス孔３９にビス４０を挿通して、外壁面材２を下地パネル１に固定するため、外壁面材２の表面にビス孔等の跡が残らず、仕上がりが美しい。この固定作業は容易で、その精度が現場作業者の熟練度により左右されない。
【００２７】
位置決め金具３６は、板状で、外壁面材固定面Ｆ１と平行に配置されるため、下地パネル１と外壁面材２間にほとんど隙間がない場合でも、下地パネル１の外壁面材固定面Ｆ１に無理なく設けることができる。補強レール３７は、被係合部３７ａとピン孔３９さえ有していればよく、下地パネル１と外壁面材２の並び方向の長さをさほど必要としないため、外壁面材２の被下地パネル固定面Ｆ２に無理なく設けることができる。これらのことから、この外壁面材の固定構造は、下地パネル１および外壁面材２の幅が狭く、下地パネル１と外壁面材２間にほとんど隙間がない外壁に有効に適用できる。また、この実施形態では、被位置決め金具および固定用金具を上下方向に長い補強レール３７としたため、位置決め金具３６を上下方向の任意位置に配置することができる。そのため、位置決め金具３６が配線等と干渉することを簡単に避けることができると共に、位置決め金具３６の位置決めを厳密に行なわなくてもよく、その取付けが容易である。
【図面の簡単な説明】
【００２８】
【図１】（Ａ）はこの発明の第１の実施形態にかかる外壁面材の固定構造の破断側面図、（Ｂ）はそのＩＢ部拡大図である。
【図２】同外壁面材の固定構造の下地パネルに外壁面材を固定する前の状態を示す破断側面図である。
【図３】同下地パネルの正面図である。
【図４】同外壁面材の背面図である。
【図５】この発明の第２の実施形態にかかる外壁面材の固定構造の破断側面図である。
【図６】同外壁面材の固定構造の下地パネルに外壁面材を固定する前の状態を示す破断側面図である。
【図７】この発明の第３の実施形態にかかる外壁面材の固定構造の破断側面図である。
【図８】同外壁面材の固定構造の下地パネルに外壁面材を固定する前の状態を示す破断平面図である。
【図９】同下地パネルの正面図である。
【図１０】外壁の斜視図である。
【図１１】従来の外壁面材の固定構造の断面図である。
【符号の説明】
【００２９】
１…下地フレーム
２…外壁面材
３…開口
４…サッシ
１６，３６…位置決め金具
１６ａ，３６ａ…係合部
１７…被位置決め金具
１７ａ，３７ａ…被係合部
１８…固定用金具
１８ｂ，３９…ビス孔
３７…補強レール（被位置決め金具、固定用金具）
【図１】
2009257002.tif 000003
【図２】
2009257002.tif 000004
【図３】
2009257002.tif 000005
【図４】
2009257002.tif 000006
【図５】
2009257002.tif 000007
【図６】
2009257002.tif 000008
【図７】
2009257002.tif 000009
【図８】
2009257002.tif 000010
【図９】
2009257002.tif 000011
【図１０】
2009257002.tif 000012
【図１１】
2009257002.tif 000013